(57)【要約】【課題】生体リズムの観点から、起床後のユーザに適した光環境にすることができる照明システム及び移動体を提供する。【解決手段】照明システム１は、照明装置３と、目的時刻を設定する時刻設定部５と、照明装置３が照射する光の色温度を制御する制御部９とを備える。そして、制御部９は、目的時刻に応じて目的色温度を決定し、目的時刻に目的色温度となるように照明装置３が照射する光の色温度を制御する。【選択図】図５
2018170127.tif 000002
【特許請求の範囲】
【請求項１】
照明装置と、
目的時刻を設定する時刻設定部と、
前記照明装置が照射する光の色温度を制御する制御部とを備え、
前記制御部は、前記目的時刻に応じて目的色温度を決定し、前記目的時刻に前記目的色温度となるように前記照明装置が照射する光の色温度を制御する
照明システム。
【請求項２】
前記制御部は、さらに、前記照明装置が照射する光の色温度を前記目的色温度まで時間の経過とともに増加させる色温度増加制御を行う
請求項１に記載の照明システム。
【請求項３】
前記制御部は、さらに、前記色温度増加制御を行う際に、前記照明装置が照射する光の色温度を漸増させる
請求項２に記載の照明システム。
【請求項４】
前記制御部は、さらに、前記色温度増加制御を行った後に、前記照明装置が照射する光を前記目的色温度に維持させる色温度維持制御を行う
請求項２又は３に記載の照明システム。
【請求項５】
前記制御部は、さらに、前記照明装置が照射する光の明るさを目的出力まで時間の経過とともに増加させる出力増加制御を行う
請求項２〜４のいずれか１項に記載の照明システム。
【請求項６】
前記制御部は、さらに、前記出力増加制御を行う際に、前記照明装置が照射する光の前記明るさを漸増させる
請求項５に記載の照明システム。
【請求項７】
前記制御部は、さらに、前記色温度増加制御を行う前に、前記目的出力よりも暗い明るさ、かつ、前記目的色温度よりも低い色温度で前記照明装置を点灯させる微弱点灯制御を行う
請求項５又は６に記載の照明システム。
【請求項８】
さらに、現在時刻を前記制御部に出力する計時部を備え、
前記制御部は、前記計時部を用いて就寝時刻から前記目的時刻までの睡眠期間を算出し、前記睡眠期間に基づいて前記微弱点灯制御を行う期間を定める
請求項７に記載の照明システム。
【請求項９】
請求項１〜８のいずれか１項に記載の照明システムを備えた
移動体。
【請求項１０】
前記目的時刻は、前記移動体が到着地域に到着する到着予定時刻である
請求項９に記載の移動体。
【請求項１１】
前記到着地域の日の出時刻から前記到着地域の日没時刻までの間に前記到着予定時刻が含まれる場合に、前記制御部は、前記到着予定時刻から前記日没時刻までの期間に応じて前記目的色温度を低くする
請求項１０に記載の移動体。
【請求項１２】
前記到着地域の日没時刻から前記到着地域の日の出時刻までの間に前記到着予定時刻が含まれる場合に、前記制御部は、前記照明装置が照射する光を前記目的色温度にする
請求項１０に記載の移動体。
【請求項１３】
前記制御部は、前記到着地域の日没時刻から前記到着予定時刻までの時間が長くなるに従って前記目的色温度を低くする
請求項１２に記載の移動体。
【請求項１４】
前記制御部は、
前記到着予定時刻から前記到着地域の日の出時刻までの期間が、前記到着地域の日没時刻から前記到着予定時刻までの期間に比べて長くなるに従って、前記目的色温度を低くし、
前記到着地域の日没時刻から前記到着予定時刻までの期間と、前記到着予定時刻から前記到着地域の日の出時刻までの期間とが略同一である場合に、前記目的色温度を最も低くし、
前記到着予定時刻から前記到着地域の日の出時刻までの期間が、前記到着地域の日没時刻から前記到着予定時刻までの期間に比べて短くなるに従って、前記目的色温度を高くする
請求項１２に記載の移動体。
【発明の詳細な説明】
【技術分野】
【０００１】
本開示は、ユーザの目覚めをサポートする照明システム及びそれを用いる移動体に関する。
【背景技術】
【０００２】
従来、照明光を出射する照明部（照明装置の一例）と、照明部の照明状態を制御する制御部とを備える照明システムが知られている。この照明システムでは、就寝中のユーザに快適な光環境を提供するために、起床時刻よりも前の時刻から光を照射し、起床時刻まで段階的に調光率を変化させる（例えば、特許文献１参照）。
【先行技術文献】
【特許文献】
【０００３】
【特許文献１】特開２０１３−１９１５１３号公報
【発明の概要】
【発明が解決しようとする課題】
【０００４】
このような、照明システムにおいて、ユーザの睡眠状態を浅くするだけでは、生体リズムの観点から、ユーザを起床させてもその後のユーザの気分が良好でない場合がある。
【０００５】
本開示は、生体リズムの観点から、起床後のユーザに適した光環境にすることができる照明システム及び移動体を提供する。
【課題を解決するための手段】
【０００６】
本開示の一態様に係る照明システムは、照明装置と、目的時刻を設定する時刻設定部と、前記照明装置が照射する光の色温度を制御する制御部とを備え、前記制御部は、前記目的時刻に応じて目的色温度を決定し、前記目的時刻に前記目的色温度となるように前記照明装置が照射する光の色温度を制御する。
【０００７】
また、本開示の一態様に係る移動体は、照明システムを備える。
【発明の効果】
【０００８】
本開示は、生体リズムの観点から、起床後のユーザに適した光環境にすることができる。
【図面の簡単な説明】
【０００９】
【図１】図１は、実施の形態に係る照明システムを搭載した航空機を示す外観図である。
【図２】図２は、実施の形態に係る照明システムを示すブロック図である。
【図３】図３は、実施の形態に係る照明システムにおける到着予定時刻に応じた目的色温度の決定を行うフローチャートである。
【図４】図４は、実施の形態に係る照明システムにおける到着予定時刻に応じた目的色温度を示す説明図である。
【図５】図５は、実施の形態に係る照明システムにおける各々の照明装置の動作を示すフローチャートである。
【図６】図６は、実施の形態に係る照明システムにおける各々の照明装置が照射する色温度及び明るさを示す説明図である。
【図７】図７は、色温度の制御により得られる覚醒度と時間との関係を示すグラフである。
【図８】図８は、変形例に係る照明システムにおける各々の照明装置が照射する色温度を示す説明図である。
【図９】図９は、変形例に係る照明システムにおける各々の照明装置が照射する色温度を示す説明図である。
【図１０】図１０は、メラトニンの分泌を抑制する作用曲線を示すグラフである。
【図１１】図１１は、照射する光と睡眠との関係を表す説明図である。
【発明を実施するための形態】
【００１０】
（概要）
近年では、概日リズムの乱れ、眠気、不眠症等の症状を改善するために、午前中から１５時位までの間に高照度の光照射を行うことで、メラトニンの分泌リズム及び概日リズム等の生体リズムを整え、これらの症状を緩和できることが知られている。ここでいう生体リズムとは、人の生理現象として、一定の時刻になると自然に眠くなり、一定時間眠ると自然に目が覚めるという波が約１日の周期で行われているリズムである。
【００１１】
生体リズムを評価する一つの指標として、メラトニンの分泌量がある。このメラトニンの分泌量には作用曲線があることが、Ｇ．  Ｃ．  Ｂｒａｉｎａｒｄ，  Ｊ．  Ｐ．  Ｈａｎｉｆｉｎ，  Ｊ．  Ｍ．  Ｇｒｅｅｓｏｎ，  Ｂ．  Ｂｙｒｎｅ，  Ｇ．  Ｇｌｉｃｋｍａｎ，  Ｅ．  Ｇｅｒｎｅｒ  ａｎｄ  Ｍ．  Ｄ．  Ｒｏｌｌａｇ．  Ａｃｔｉｏｎ  ｓｐｅｃｔｒｕｍ  ｆｏｒ  ｍｅｌａｔｏｎｉｎ  ｒｅｇｕｌａｔｉｏｎ  ｉｎ  ｈｕｍａｎｓ：ｅｖｉｄｅｎｃｅ  ｆｏｒ  ａ  ｎｏｖｅｌ  ｃｉｒｃａｄｉａｎ  ｐｈｏｔｏｒｅｃｅｐｔｏｒ，  Ｊ  Ｎｅｕｒｏｓｃｉ，  ２１，  ｐｐ．６４０５−６４１２  （２００１）から示されている。図１０は、メラトニンの分泌を抑制する作用曲線を示すグラフである。図１０では、縦軸が相対感度であり横軸が波長である。図１０に示すように、波長が約４６４ｎｍで相対感度のピークが存在している。
【００１２】
メラトニンは、睡眠誘発作用を有し、一般的に、夜間に体内で多く分泌され、朝から昼間にかけて体内での分泌量が低下する傾向がある。図１０に示す曲線から、メラトニンの分泌抑制効果は、青色帯域の光によって引き起こされている。このため、夜間は、ユーザの睡眠を促すためにメラトニンの分泌を促す青色帯域の光を少なくすることが望ましい。一方、朝から昼間は、ユーザを覚醒させるためにメラトニンの分泌を抑制する青色帯域の光が多いことが望ましい。
【００１３】
ここで、色温度の高い光には青色帯域の光が多く含まれ、色温度の低い光色には青色帯域の光が少ないことを考慮すると、適切な時間帯に適切な色温度の光を照射することで、生体リズムを調整することが可能であると考えられる。
【００１４】
そこで、この照明システムでは、起床する目的時刻の前から、徐々に光の出力及び色温度を高くすることで、起床する目的時刻に向けて起床前の睡眠状態を浅くさせ、起床時に快適な目覚めとなるような光を照射する。
【００１５】
図１１は、照射する光と睡眠との関係を表す説明図である。
【００１６】
図１１に示すように、照度の増加とともに睡眠が深い状態から浅い状態に進んでいることがわかる。照度が増加するとユーザへ光の覚醒作用が働き、照度が最も高くなると睡眠が浅い状態となり、ユーザは、起床時に心地よい目覚めを感じる。
【００１７】
そこで本開示は、生体リズムの観点から、起床後のユーザに適した光環境にすることができる照明システム及び移動体を提供する。
【００１８】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００１９】
なお、各図は模式図であり、必ずしも厳密に図示されたものではない。また、各図において、実質的に同一の構成に対しては同一の符号を付しており、重複する説明は省略または簡略化される場合がある。
【００２０】
（実施の形態）
［構成］
図１は、実施の形態に係る照明システム１を搭載した航空機を示す外観図である。図２は、実施の形態に係る照明システム１を示すブロック図である。
【００２１】
図１及び図２に示されるように、本実施の形態に係る照明システム１は、航空機等の移動体１００の内部に配置される複数の照明装置３を備える。照明装置３は、典型的に航空機の天井に配置される。
【００２２】
照明システム１は、複数の照明装置３と、時刻設定部５と、計時部７と、制御部９と、記憶部１１と、電源部１３とを有する。
【００２３】
照明装置３は、側壁又は天井材等の造営材に配置される装置である。照明装置３は、いわゆる主照明（直接照明）であり、発光することにより機内全体を照明しても良いし、座席毎に照射してもよい。照明装置３は、制御部９によって発光制御される。照明装置３は、具体的には、発光部を有する。
【００２４】
発光部は、例えば、発光素子としてＬＥＤ（Ｌｉｇｈｔ  Ｅｍｉｔｔｉｎｇ  Ｄｉｏｄｅ）が用いられた発光モジュールであり、例えば白色光を発する。発光素子は、いわゆるＳＭＤ（Ｓｕｒｆａｃｅ  Ｍｏｕｎｔ  Ｄｅｖｉｃｅ）型のＬＥＤ素子であってもよい。また、発光部は、互いに発光色（色温度）が異なる複数の種類の発光素子を有し、制御部９が電源部１３からの電力の供給量を調節することで調光制御及び調色制御が可能な発光モジュールである。
【００２５】
時刻設定部５は、複数の目的時刻を設定することができる装置である。時刻設定部５は、例えば、ユーザによるボタン、スイッチ又はタッチパネル等への操作により目的時刻を設定する。
【００２６】
ここで、目的時刻は、ユーザが起床する予定の時刻である起床時刻、ユーザが食事を行う予定の時刻である食事時刻、ユーザが就寝する予定の時刻である就寝時刻、移動体１００が目的地に到着する予定の時刻である到着予定時刻等がある。このため、目的時刻は、所定の動作が行われる種々の目的ごとに設定される時刻である。なお、目的時刻は、種々の目的ごとに設定されるため、起床、食事、就寝、目的地への到着等の目的に限定されない。なお、目的時刻の設定の代わりに、例えば就寝時刻又は現在時刻から起床時刻までの時間である期間を時刻設定部５によって設定してもよい。
【００２７】
計時部７は、制御部９に電気的に接続され、現在時刻を示す情報を制御部９に出力するタイマである。
【００２８】
制御部９は、照明装置３が照射する光の色温度を制御する。具体的には、制御部９は、リモコン等の操作部を介した制御信号に従って、発光部の点灯、消灯、調光、および調色等の動作を制御する。調光、および調色等の動作の制御は、発光部に出射させる光の発光色又は色温度の調整である。制御部９は、例えば、駆動部を制御して発光部の明るさを大きくしたり、小さくしたりするといった、光源の調光制御を行う。制御部９は、発光部等を制御するための回路等から構成されている。
【００２９】
制御部９は、時刻設定部５によって複数の目的時刻が設定されている場合、選択された目的時刻に応じて目的色温度を決定し、目的時刻に予め定められた目的色温度となるように、照明装置３が照射する光の色温度を制御する。具体的には、制御部９は、計時部７から入力された現在時刻を示す情報から、複数の目的時刻のうち次の目的時刻を選択し、選択された目的時刻に、照明装置３が照射する光の色温度を目的色温度となるように制御する。目的時刻と色温度との関係は、予め設定されているテーブルに基づいて行われてもよい。例えば、到着地域の季節及び目的時刻に対応する色温度を示すテーブルから目的色温度を決定してもよい。
【００３０】
制御部９は、計時部７から入力された現在時刻と選択された目的時刻との間の期間に基づいて制御期間を決定する。ここで、制御期間とは、照明装置３が光の照射を開始する制御開始時刻から目的時刻までの期間である。
【００３１】
制御部９は、照明装置３が照射する光の色温度を目的色温度まで時間の経過とともに増加させる色温度増加制御を行う。具体的には、ユーザが就寝中等により照明装置３が消灯している環境下である場合、制御部９は、目的時刻に目的色温度となるように、目的時刻よりも制御期間前に照明装置３を点灯させ、照明装置３が照射する光の色温度を時間の経過とともに増加させる。
【００３２】
制御部９は、色温度増加制御を行った後に、照明装置３が照射する光を目的色温度に維持させる色温度維持制御を行う。つまり、制御部９は、照明装置３が照射する光を目的色温度まで増加させた後に、目的色温度の光を照射させ続けるように照明装置３を制御する。照明装置３が照射する光の目的色温度を維持する期間は、次の目的色温度までの期間であってもよい。
【００３３】
制御部９は、目的時刻に応じて照明装置３が照射する光の明るさを決定し、照明装置３が照射する光の明るさを制御する。制御部９は、照明装置３が照射する光の明るさを、目的出力まで時間の経過とともに増加させる出力増加制御を行う。本実施の形態では、制御部９は、出力増加制御を行う際に、目的時刻に目的出力となるように、時間の経過とともに照明装置３が照射する光の明るさを漸増させる。つまり、制御部９は、計時部７から入力された現在時刻を示す情報に基づいて、目的時刻よりも制御期間前の制御開始時刻から点灯を開始し、時間の経過とともに照明装置３の出力を漸増させる。照明装置３の出力を漸増させるとは、照明装置３が照射する光の明るさが漸増することを意味する。出力増加制御は、例えば、ユーザが就寝中等の照明装置３が消灯している環境下において制御部９によって行われる。なお、出力増加制御は、色温度増加制御と同時に開始してもよいが、色温度増加制御と同時に開始しなくてもよい。
【００３４】
ここでいう目的出力は、予め設定された照明装置３が照射する光の明るさであり、図示しない設定部を介して任意に設定することができてもよい。また、目的出力は、目的時刻ごとに設定されていてもよい。
【００３５】
制御部９は、色温度増加制御を行う前に、目的出力よりも暗い明るさ、かつ、目的色温度よりも低い色温度で照明装置３を点灯させる微弱点灯制御を行う。言い換えれば、制御部９は、微弱点灯制御を行った後に、色温度増加制御を行う。ここで、微弱点灯制御とは、例えば照明装置３が照射する光の目的出力の１５％以下の出力で点灯制御することである。
【００３６】
制御部９は、計時部７を用いて就寝時刻から目的時刻までの睡眠期間を算出し、睡眠期間に基づいて微弱点灯制御を行う期間を、現在時刻から目的時刻までの期間内で微弱点灯制御を行う期間を定める。具体的には、制御部９は、現在時刻から目的時刻までの期間が所定期間以上であれば、微弱点灯制御を第１の期間行う。また、制御部９は、現在時刻から目的時刻までの期間が所定期間未満であれば、第１の期間よりも短い第２の期間に微弱点灯制御を行う。ここで第１の期間および第２の期間は、現在時刻から目的時刻までの期間よりも短い期間である。なお、本実施の形態では所定期間を閾値として、第１の期間又は第２の期間を決定しているが、制御部９は、例えば微弱点灯制御を行う期間を、現在時刻から目的時刻までの期間に比例するように設定してもよい。
【００３７】
記憶部１１は、制御部９に電気的に接続され、時刻設定部５から入力された目的時刻、目的出力、目的色温度等が記憶されている記憶装置である。記憶部１１は、例えば、半導体メモリによって実現される。
【００３８】
電源部１３は、各々の発光部を発光させるための電力を生成する電源回路によって構成されている。電源部１３は、例えば、電力系統から供給される電力を、整流、平滑及び降圧等して所定レベルの直流電力に変換し、当該直流電力を発光部に供給する。
【００３９】
［動作］
本実施の形態における照明システム１の動作について、図３及び図４を用いて説明する。
【００４０】
図３は、実施の形態に係る照明システム１における到着予定時刻に応じた目的色温度の決定を行うフローチャートである。図４は、実施の形態に係る照明システム１における到着予定時刻に応じた目的色温度を示す説明図である。
【００４１】
ここでは、移動体１００の到着する到着地域が昼日中か夜間かで、照明装置３が目的時刻に照射する光の色温度を決定する。
【００４２】
図３に示すように、まず、制御部９は、到着地域の日の出時刻から到着地域の日没時刻までの間に到着予定時刻が含まれているか否かを判断する。言い換えれば、制御部９は、移動体１００の到着予定時刻が夜間であるか昼日中であるかを判断する（Ｓ１）。
【００４３】
制御部９は、移動体１００の到着予定時刻が夜間であると判断した場合（Ｓ１ではＹＥＳ）、予め定められた目的色温度に決定する。つまり、制御部９は、色温度増加制御及び色温度維持制御をする際に、各々の照明装置３が予め定められた目的色温度の光を照射するように、各々の照明装置３を制御する（Ｓ４）。そして、このフローは終了する。
【００４４】
また、ステップＳ４において、制御部９は、目的色温度の決定を、到着予定時刻から到着地域の日の出時刻までの期間と、到着地域の日没時刻から到着予定時刻までの期間との関係から決定する。具体的には、制御部９は、到着予定時刻から到着地域の日の出時刻までの期間が、到着地域の日没時刻から到着予定時刻までの期間に比べて長くなるに従って、目的色温度を低くする。また、制御部９は、到着地域の日没時刻から到着予定時刻までの期間と、到着予定時刻から到着地域の日の出時刻までの期間とが略同一である場合に、１日で設定される目的色温度のうち、最も低い目的色温度にする。さらに、制御部９は、到着予定時刻から到着地域の日の出時刻までの期間が、到着地域の日没時刻から到着予定時刻までの期間に比べて短くなるに従って、目的色温度を高くする。
【００４５】
なお、到着予定時刻から到着地域の日の出時刻までの期間が、到着地域の日没時刻から到着予定時刻までの期間に比べて長い場合は、例えば、日没から真夜中までの間である。また、到着地域の日没時刻から到着予定時刻までの期間と、到着予定時刻から到着地域の日の出時刻までの期間とが略同一である場合は、例えば、真夜中である。さらに、到着予定時刻から到着地域の日の出時刻までの期間が、到着地域の日没時刻から到着予定時刻までの期間に比べて短い場合は、深夜から明け方までの間である。
【００４６】
次に、制御部９は、移動体１００の到着予定時刻が昼日中であると判断した場合（Ｓ１ではＮＯ）、到着予定時刻から日没時刻までの期間を算出する（Ｓ２）。
【００４７】
次に、制御部９は、ステップＳ２で算出した期間に応じて目的色温度を決定する（Ｓ３）。具体的には、到着地域の日の出時刻から到着地域の日没時刻までの間に到着予定時刻が含まれる場合に、制御部９は、到着予定時刻から日没時刻までの期間に応じて目的色温度を低くする。例えば、到着予定時刻が日の出時刻であれば、制御部９は、１日で設定される目的色温度のうち、最も高い目的色温度にし、日の出時刻から時間が経過するに従って、目的色温度を低くする。また、到着地域の日没時刻から到着地域の日の出時刻までの間に到着予定時刻が含まれる場合に、制御部９は、照明装置３が照射する光を目的色温度にする。そして、このフローは終了する。
【００４８】
図３のステップＳ３で決定された目的色温度について、図４を用いて具体的に説明する。図４の（ａ）は、到着予定時刻から日没時刻までの期間が長い場合の色温度を示す説明図である。図４の（ｂ）は、到着予定時刻から日没時刻までの期間が短い場合の色温度を示す説明図である。図４の（ｃ）は、到着予定時刻が夜間である場合の色温度を示す説明図である。
【００４９】
図４の（ａ）及び図４の（ｃ）に示すように、到着予定時刻から日没時刻までの期間が長い場合は、夜間に到着する場合の目的色温度Ｋｘよりも高い目的色温度Ｋ１にする。各々の照明装置３は、色温度増加制御及び色温度維持制御をする際に、目的色温度Ｋ１の光を照射するように制御部９に制御される。
【００５０】
また、図４の（ｂ）及び図４の（ｃ）に示すように、到着予定時刻から日没時刻までの期間が短い場合は、夜間に到着する場合の目的色温度Ｋｘよりも高く、かつ、目的色温度Ｋ１よりも低い目的色温度Ｋ２にする。図４の（ａ）及び図４の（ｂ）に示すように、各々の照明装置３は、色温度増加制御及び色温度維持操をする際に、目的色温度Ｋ１又はＫ２の光を照射し続けるように制御部９に制御される。なお、目的色温度Ｋ１、Ｋ２は一例であり、これらに限定されない。
【００５１】
次に、制御部９が行う各々の照明装置３の点灯制御を、図５及び図６を用いて説明する。
【００５２】
図５は、実施の形態に係る照明システム１における各々の照明装置３の動作を示すフローチャートである。図６は、実施の形態に係る照明システム１における各々の照明装置３が照射する色温度及び明るさを示す説明図である。
【００５３】
図６の（ａ）は、実施の形態に係る照明システム１における各々の照明装置３が照射する光の色温度と時間との関係を示す説明図である。図６の（ｂ）は、実施の形態に係る照明システム１における各々の照明装置３が照射する光の出力及び光の色温度と時間との関係を色温度で示す説明図である。図６の（ｃ）は、実施の形態に係る照明システム１における各々の照明装置３が照射する光の出力と時間との関係を示す説明図である。
【００５４】
ここでは、移動体１００が到着地域の日の出時刻から到着地域の日没時刻までの間に到着予定時刻が含まれる場合を想定している。この場合、目的時刻まで、ユーザが就寝している状態であり、照明装置３が消灯している状態とする。また、照明システム１には予め目的時刻が入力されているとする。
【００５５】
まず、ユーザが照明システム１の電源をＯＮにして照明システム１を起動させ、図５のフローがスタートする。そして、制御部９は、計時部７から入力された現在時刻に基づいて、目的時刻前の制御開始時刻であるか否かを判断する（Ｓ１１）。
【００５６】
次に、制御部９が制御開始時刻であると判断した場合（Ｓ１１ではＹＥＳ）、図５及び図６に示すように、制御部９は、制御開始時刻に各々の照明装置３を点灯させる（Ｓ１２）。ここで制御部９は、微弱点灯制御によって、目的色温度よりも低い低色温度で各々の照明装置３を微弱点灯させる（Ｓ１２）。
【００５７】
一方、制御部９が制御開始時刻でないと判断した場合（Ｓ１１ではＮＯ）、制御部９は、ステップＳ１１を繰り返す。
【００５８】
制御部９は、制御開始時刻から目的時刻までの期間が所定期間以上であるか否かを判断する（Ｓ１３）。
【００５９】
制御部９は、現在時刻から目的時刻までの期間が所定期間以上であると判断した場合（Ｓ１３ではＹＥＳ）、微弱点灯制御を第１の期間行う（Ｓ１４）。第１の期間は、図６で示す微弱点灯期間の一例である。
【００６０】
一方、制御部９は、現在時刻から目的時刻までの期間が所定期間未満であると判断した場合（Ｓ１３ではＮＯ）、微弱点灯制御を第２の期間行う（Ｓ１８）。微弱点灯制御を第２の期間は、図６で示す微弱点灯期間の一例である。そして、ステップＳ１６に進む。
【００６１】
次に、図５、図６の（ａ）及び図６の（ｂ）で示すように、制御部９は、第１の期間又は第２の期間に行われた微弱点灯制御終了後に、到着予定時刻に目的色温度となるように、照明装置３が照射する光の色温度を目的色温度まで、時間の経過とともに増加させる色温度増加制御を行う（Ｓ１５）。
【００６２】
また、図５及び図６の（ｃ）で示すように、制御部９は、第１の期間又は第２の期間に行われた微弱点灯制御終了後に、到着予定時刻に目的出力となるように、出力増加制御を行い、照明装置３が照射する光の明るさを時間の経過とともに漸増させる（Ｓ１６）。なお、ステップＳ１５とステップＳ１６とは、同時に行ってもよく、順番が逆転してもよい。
【００６３】
次に、図５、図６の（ａ）及び図６の（ｂ）で示すように、色温度増加制御を行った後に、照明装置３が照射する光を目的色温度に維持させる色温度維持制御を行う（Ｓ１７）。また、このステップＳ１７では、照明装置３が照射する光を目的出力の明るさに維持してもよい。そして、このフローを終了して、スタートに戻り、次の目的時刻に基づく複数の照明装置３の制御を行う。なお、照明装置３が目的色温度の光を照射する維持期間は、次の目的時刻まででもよく、所定期間であってもよく、使用態様により適宜変更してもよい。
【００６４】
このように、到着予定時刻から日没時刻までの期間に応じて目的色温度を変更し、移動体１００の到着予定時刻に応じて、照明装置３が照射する光の色温度を制御することで、ユーザに快適な照明環境を提供することができる。
【００６５】
［実験結果］
ユーザを快適に起床させるため、以下に示す実験を行った。
【００６６】
図７は、色温度の制御により得られる覚醒度と時間との関係を示すグラフである。図７では、８名を被験者とし就寝前の色温度と照度をパラメータに生理評価実験を行った結果を示す。
【００６７】
図７において、縦軸が覚醒度であり、横軸が時間である。覚醒度は、機内の照明の色温度が３０００Ｋである場合と、５０００Ｋである場合とのそれぞれについて計測した。また、覚醒度は、機内の照明の照度が３０ｌｘである場合と１５０ｌｘである場合とのそれぞれについて計測した。なお、覚醒度は、被験者の脳波の中心周波数によって定まり、脳波の中心周波数が高いほど覚醒度は高い。
【００６８】
図７では、照度よりも色温度のほうが覚醒度に及ぼす影響が大きいことが判る。具体的には、色温度が３０００Ｋのときのほうが、色温度が５０００Ｋのときよりも覚醒度が低下する傾向があると判る。
【００６９】
この結果から、本実施の形態では、目的色温度を５０００Ｋとし、微弱点灯時の色温度を３０００Ｋとする。
【００７０】
また、機内で睡眠をするユーザは、上方を向くことが多い。このため、制御部９は、照明装置３が照射する光の色温度を、目的色温度まで時間の経過とともに増加させることで効果的にユーザの覚醒度を高めている。
【００７１】
［作用効果］
次に、本実施の形態における照明システム１及び移動体１００の作用効果について説明する。
【００７２】
上述したように、本実施の形態に係る照明システム１は、照明装置３と、目的時刻を設定する時刻設定部５と、照明装置３が照射する光の色温度を制御する制御部９とを備える。そして、制御部９は、目的時刻に応じて色温度を決定し、目的時刻に目的色温度となるように照明装置３が照射する光の色温度を制御する。
【００７３】
これによれば、制御部９は、時刻設定部５が設定した目的時刻に応じて、予め定められた目的色温度となるように、照明装置３が照射する光の色温度を制御する。このため、目的時刻前の制御開始時刻から照明装置３が照射する光の色温度を制御すれば、例えば就寝中のユーザの睡眠状態を浅くさせて、起床時刻である目的時刻の起床を促すことができる。このため、ユーザを目的時刻に快適に目覚めさせることができる。
【００７４】
したがって、生体リズムの観点から、起床後のユーザに適した光環境にすることができる。
【００７５】
特に、この照明システムでは、図１１に記載している反応曲線に合わせるように、制御部９は、照明装置３が照射する光の色温度を制御することが好ましい。この場合に、より好ましい状態にユーザを快適に目覚めさせることができる。
【００７６】
また、本実施の形態に係る移動体１００は、照明システムを備える。
【００７７】
この照明システム１を用いた移動体１００においても同様の作用効果を奏する。この照明システム１は、移動体１００に好適である。
【００７８】
また、本実施の形態に係る照明システム１において、制御部９は、さらに、照明装置３が照射する光の色温度を目的色温度まで時間の経過とともに増加させる色温度増加制御を行う。
【００７９】
これによれば、制御部９は、目的時刻前の制御開始時刻から照明装置３が照射する光の色温度を増加させれば、例えば就寝中のユーザの睡眠状態を浅くさせて、起床時刻である目的時刻の起床を促すことができる。このため、ユーザは、目的時刻に快適に目覚めさせることができる。
【００８０】
また、本実施の形態に係る照明システム１において、制御部９は、色温度増加制御を行う際に、照明装置３が照射する光の色温度を漸増させる。
【００８１】
これによれば、制御部９は徐々に照明装置３が照射する光の色温度を増加させるため、例えば就寝中のユーザの睡眠状態を浅くさせることで、目的時刻により快適に目覚めさせることができる。
【００８２】
また、本実施の形態に係る照明システム１において、制御部９は、さらに、色温度増加制御を行った後に、照明装置３が照射する光を目的色温度に維持させる色温度維持制御を行う。
【００８３】
これによれば、制御部９は照明装置３が照射する光を目的色温度に維持させるため、起床時刻である目的時刻の起床をより促すことができる。このため、ユーザを目的時刻により快適に目覚めさせることができる。
【００８４】
また、本実施の形態に係る照明システム１において、制御部９は、さらに、照明装置３が照射する光の明るさを目的出力まで時間の経過とともに増加させる出力増加制御を行う。
【００８５】
これによれば、制御部９は照明装置３が照射する光の明るさを増加させるため、例えば就寝中のユーザの睡眠状態を浅くさせて、ユーザを目的時刻により快適に目覚めさせることができる。
【００８６】
また、本実施の形態に係る照明システム１において、制御部９は、さらに、出力増加制御を行う際に、照明装置３が照射する光の明るさを漸増させる。
【００８７】
これによれば、制御部９は徐々に照明装置３が照射する光の明るさを増加させるため、例えば就寝中のユーザの睡眠状態を浅くさせることで、ユーザを目的時刻により快適に目覚めさせることができる。
【００８８】
また、本実施の形態に係る照明システム１において、制御部９は、さらに、色温度増加制御を行う前に、目的出力よりも暗い明るさ、かつ、目的色温度よりも低い色温度で照明装置３を点灯させる微弱点灯制御を行う。
【００８９】
照明装置３が照射する光が明るすぎれば、目的時刻前に起床してしまうことがあるが、この照明システム１によれば、制御部９は色温度増加制御を行う前に照明装置３を微弱点灯させるため、ユーザを目的時刻により快適に目覚めさせることができる。
【００９０】
また、本実施の形態に係る照明システム１は、さらに、現在時刻を制御部９に出力する計時部７を備える。そして、制御部９は、計時部７を用いて就寝時刻から目的時刻までの睡眠期間を算出し、睡眠期間に基づいて微弱点灯制御を行う期間を定める。
【００９１】
これによれば、制御部９が就寝時刻から目的時刻までの期間に基づいて微弱点灯制御を行う期間を定めるため、就寝期間に応じてユーザに目的時刻での起床を促すことができる。
【００９２】
また、本実施の形態に係る移動体１００において、目的時刻は、移動体１００が到着地域に到着する到着予定時刻である。
【００９３】
これによれば、移動体１００の到着予定時刻に快適に起床することができる。
【００９４】
また、本実施の形態に係る移動体１００において、到着地域の日の出時刻から到着地域の日没時刻までの間に到着予定時刻が含まれる場合に、制御部９は、到着予定時刻から日没時刻までの期間に応じて目的色温度を低くする。
【００９５】
これによれば、到着地域の昼日中に移動体１００が到着する場合、制御部９が到着予定時刻から日没時刻までの期間に応じて目的色温度を低くする。具体的には、例えば、到着予定時刻から到着地域の日没時刻までの期間が短ければ、すぐに日没となるため、制御部９は、ユーザの覚醒を抑制するように目的色温度を低くする。また、例えば、到着予定時刻から到着地域の日没時刻までの期間が長ければ、日没までの時間が長いため、制御部９は、目的色温度を僅かに低下させる。このように、制御部９は、この期間に応じて目的色温度を低くするため、日没までの期間が短ければその後にユーザを睡眠させるように誘導する照明を行い、日没までの期間が長ければユーザを覚醒させるように照明することができる。その結果、移動体１００の到着予定時刻に応じて、照明装置３が照射する光の色温度を制御することで、ユーザにより快適な照明環境を提供することができる。
【００９６】
また、本実施の形態に係る移動体１００において、到着地域の日没時刻から到着地域の日の出時刻までの間に到着予定時刻が含まれる場合に、制御部９は、照明装置３が照射する光を目的色温度にする。
【００９７】
これによれば、到着地域の夜間に移動体１００が到着する場合でも、予め設定した色温度にするため、例えば就寝中のユーザの睡眠状態を浅くさせて、起床時刻である目的時刻の起床を促すことができる。
【００９８】
また、本実施の形態に係る移動体１００において、制御部９は、到着予定時刻から到着地域の日の出時刻までの期間が、到着地域の日没時刻から到着予定時刻までの期間に比べて長くなるに従って、目的色温度を低くする。また、制御部９は、到着地域の日没時刻から到着予定時刻までの期間と、到着予定時刻から到着地域の日の出時刻までの期間とが略同一である場合に、目的色温度を最も低くする。そして、制御部９は、到着予定時刻から到着地域の日の出時刻までの期間が、到着地域の日没時刻から到着予定時刻までの期間に比べて短くなるに従って、目的色温度を高くする。
【００９９】
この構成によれば、到着地域において日没から真夜中にかけて移動体１００が到着した場合に、目的色温度を次第に低くする又は目的色温度を最も低くすることで、例えば、到着地域で再び睡眠をさせ易いように、ユーザを覚醒させる。また、真夜中から明け方の間に到着した場合に、朝にユーザが覚醒するかのように、深夜の目的色温度に比べて、目的色温度を次第に高くする。このように、到着予定時刻から日没時刻までの期間に応じて目的色温度を調節することで、ユーザの生体リズムの乱れを抑制することができる。
【０１００】
（その他の実施の形態）
以上、本開示の実施の形態について説明したが、本開示は、この実施の形態に限定されるものではない。
【０１０１】
例えば、本開示は、上記照明システムを含む移動体（例えば航空機又は列車）として実現されてもよく、住宅、ホテル等の施設内に配置されてもよい。
【０１０２】
また、上記実施の形態で説明された照明システムにおいて、図８は、変形例に係る照明システムにおける各々の照明装置が照射する色温度を示す説明図である。図８に示すように、色温度増加制御において、制御部は、照明装置が照射する光の色温度を目的色温度まで段階的に増加させてもよい。
【０１０３】
また、上記実施の形態で説明された移動体において、到着地域の日没時刻から到着地域の日の出時刻までの間に到着予定時刻が含まれる場合に、制御部は、到着地域の日没時刻から到着予定時刻までの時間が長くなるに従って目的色温度を低くしてもよい。この場合、制御部は、昼日中のような覚醒をユーザに促すのではなく、例えば、到着地域で再び睡眠をさせ易いように、ユーザを覚醒させる。このため、この照明システムでは、目的時刻でユーザが覚醒した後でも、ユーザが睡眠を行い易くなる。その結果、ユーザの生体リズムの乱れを抑制することができる。
【０１０４】
また、上記実施の形態で説明された照明システムにおいて、図９は、変形例に係る照明システムにおける各々の照明装置が照射する色温度を示す説明図である。図９に示すように、色温度増加制御において、制御部は、照明装置が照射する光の色温度を目的色温度まで線形的に増加させてもよい。なお、制御部が温度増加操作で増加させる、照明装置が照射する光の色温度の増加曲線は、図６、図８及び図９に限定されず、他の曲線であってもよい。
【０１０５】
また、上記実施の形態で説明された照明システムにおいて、到着予定時刻が到着地域の日没時刻から日の出までの間である場合、目的色温度の増減は、直線的であってもよく曲線的であってもよく、特に限定されない。
【０１０６】
また、上記実施の形態で説明された発光部は、ＬＥＤにより構成されたが、このような構成は、一例である。発光部には、蛍光管、メタルハライドランプ、ナトリウムランプ、ハロゲンランプ、キセノンランプ、または、ネオン管等が用いられてもよい。また、発光部には、無機エレクトロルミネッセンス、有機エレクトロルミネッセンス、ケミルミネッセンス（化学発光）、または、半導体レーザー等が使用されてもよい。また、発光部は、分光フィルター等によって所望の色の光を発してもよい。発光部は、照明制御に必要な制御（調光制御または調色制御）が可能な範囲で、どのように構成されてもよい。
【０１０７】
また、本開示の包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。例えば、本開示は、照明制御方法として実現されてもよいし、照明制御方法をコンピュータに実行させるためのプログラムとして実現されてもよいし、上記実施の形態に係る制御部（制御装置）として実現されてもよい。
【０１０８】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【０１０９】
以上、一つまたは複数の態様に係る照明システムについて、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【０１１０】
１  照明システム
３  照明装置
５  時刻設定部
７  計時部
９  制御部
１００  移動体
【図１】
2018170127.tif 000003
【図２】
2018170127.tif 000004
【図３】
2018170127.tif 000005
【図４】
2018170127.tif 000006
【図５】
2018170127.tif 000007
【図６】
2018170127.tif 000008
【図７】
2018170127.tif 000009
【図８】
2018170127.tif 000010
【図９】
2018170127.tif 000011
【図１０】
2018170127.tif 000012
【図１１】
2018170127.tif 000013